(57)【特許請求の範囲】
【請求項１】
駆動ローラを有して挿入排出口から挿入されたディスク状記録媒体の周縁部に駆動力を付与する駆動側ガイド体と、前記ディスク状記録媒体の周縁部が入り込むガイド溝を有して前記駆動側ガイド体に対向して配置された固定側ガイド体とを有し、これら両ガイド体に挟持されて前記駆動力を付与された前記ディスク状記録媒体を前記ガイド溝に沿って転動させながら前記挿入排出口とその奥のプレイ位置との間および前記プレイ位置とその奥のディスク収納部との間で搬送するディスク搬送部と、
前記ディスク搬送部で前記プレイ位置に搬送されたディスク状記録媒体に情報を記録および／または再生するディスク駆動部とを備え、
前記固定側ガイド体の前記ガイド溝は深溝部と浅溝部が連続して形成されており、前記深溝部は、相対向する傾斜面が形成されて両傾斜面に前記ディスク状記録媒体の周縁部の角部を当接させる断面略Ｖ字形であって、前記挿入排出口側に形成される第１の深溝部と前記ディスク収納部側に形成される第２の深溝部からなり、前記浅溝部は、内底面に前記ディスク状記録媒体の周縁部の外周面を当接させる形状であって、前記第１の深溝部および前記第２の深溝部の間の前記プレイ位置側に前記深溝部と連続して形成されており、
前記ディスク状記録媒体が前記プレイ位置に搬送されて、前記ディスク状記録媒体の外周面が前記浅溝部の内底面に当接しているときに、前記ディスク状記録媒体が前記ディスク駆動部上に位置決めされるように構成したことを特徴とするディスク装置。
【請求項２】
請求項１の記載において、前記浅溝部には前記ディスク状記録媒体が所定の位置まで搬送されたことを検知する検知部が配置してあることを特徴とするディスク装置。
【発明の詳細な説明】
【０００１】
【発明の属する技術分野】
本発明は、ＣＤ（コンパクトディスク）などのディスク状記録媒体を挟持して挿入排出口とプレイ位置、あるいはプレイ位置と収納部との間で搬送するディスク搬送部を備えたディスク装置に関する。
【０００２】
【従来の技術】
ディスク状記録媒体（以下、ディスクと略称）を装填して使用されるプレーヤのうち、車載用のＣＤプレーヤなどでは、その前面板に設けた挿入排出口から装置内部へディスクを直接挿入するスロットイン方式が多用されており、挿入されたディスクはプレーヤに内蔵されている搬送装置によってプレイ位置まで自動的に搬送されるようになっている。このようなディスク装置の従来技術としては、特開平１０−２８３７０５号公報に開示されているように、駆動プーリやベルトを有してディスクの周縁部に駆動力を付与する駆動側ガイド部と、ディスク搬送方向に沿って延びディスクとの接触面の摩擦抵抗を高めた固定側ガイド部とを備え、両ガイド部にて挟持したディスクに駆動プーリの駆動力を付与することにより、該ディスクを固定側ガイド部に沿って転動させながら搬送するという技術が知られている。
【０００３】
【発明が解決しようとする課題】
上述した従来技術では、固定側ガイド部に押しつけられたディスクが搬送中にスリップしないようにするため、固定側ガイド部の片面をエラストマ等の摩擦抵抗の大なる材料にて形成しているが、機械的強度の大なる材料と摩擦抵抗の大なる材料とを組み合わせて２色成形等により固定側ガイド部を作製しているので、低コスト化が図りにくいという問題があった。また、固定側ガイド部の片面を摩擦抵抗の大なる材料にて形成しても、そこにグリス等が付着するとディスクがスリップしやすくなるので、搬送動作の信頼性という点でも改善すべき余地があった。
【０００４】
なお、これらの問題を解決するために、固定側ガイド部を断面略Ｖ字形にすることにより、固定側ガイド部の摩擦抵抗を大きくすることが考えられるが、この場合、ディスクの厚さが異なった時にディスクを正確にセンタリングできないことがある。
【０００５】
本発明は、このような従来技術の実情に鑑みてなされたもので、その目的は、固定側ガイド体の部品コストを低減できると共に、ディスクの厚さが異なっても正確にセンタリングできるディスク装置を提供することにある。
【０００６】
【課題を解決するための手段】
本発明は、ディスクの周縁部が入り込む固定側ガイド体のガイド溝に、ディスクの周縁部の角部を当接させる断面略Ｖ字形の深溝部を設けて、搬送中のディスクがスリップを起こさないようにすると共に、この深溝部に連続し内底面にディスクの周縁部の外周面を当接させる浅溝部を設けて、板厚にばらつきのあるディスクでもディスク駆動部上に位置決めが行えるようにした。
【０００７】
【発明の実施の形態】
本発明のディスク装置では、駆動ローラを有して挿入排出口から挿入されたディスク状記録媒体の周縁部に駆動力を付与する駆動側ガイド体と、前記ディスク状記録媒体の周縁部が入り込むガイド溝を有して前記駆動側ガイド体に対向して配置された固定側ガイド体とを有し、これら両ガイド体に挟持されて前記駆動力を付与された前記ディスク状記録媒体を前記ガイド溝に沿って転動させながら前記挿入排出口とその奥のプレイ位置との間および前記プレイ位置とその奥のディスク収納部との間で搬送するディスク搬送部と、前記ディスク搬送部で前記プレイ位置に搬送されたディスク状記録媒体に情報を記録および／または再生するディスク駆動部とを備え、前記固定側ガイド体の前記ガイド溝は深溝部と浅溝部が連続して形成されており、前記深溝部は、相対向する傾斜面が形成されて両傾斜面に前記ディスク状記録媒体の周縁部の角部を当接させる断面略Ｖ字形であって、前記挿入排出口側に形成される第１の深溝部と前記ディスク収納部側に形成される第２の深溝部からなり、前記浅溝部は、内底面に前記ディスク状記録媒体の周縁部の外周面を当接させる形状であって、前記第１の深溝部および前記第２の深溝部の間の前記プレイ位置側に前記深溝部と連続して形成されており、前記ディスク状記録媒体が前記プレイ位置に搬送されて、前記ディスク状記録媒体の外周面が前記浅溝部の内底面に当接しているときに、前記ディスク状記録媒体が前記ディスク駆動部上に位置決めされるように構成した。
【０００８】
このように構成されるディスク装置は、固定側ガイド体の深溝部に押し込まれたディスクの周縁部の表裏の角部がそれぞれ断面略Ｖ字形の該深溝部の傾斜面に当接するため、ディスクと深溝部との間に大きな摩擦抵抗が発生し、よって搬送中にディスクが深溝部でスリップする心配はない。これに対して、固定側ガイド体の浅溝部では、ディスクの周縁部の外周面が該浅溝部の内底面に押しつけられるので、浅溝部の内底面によりディスクの外周面が位置規制されることから、板厚にばらつきのあるディスクでも該浅溝部において確実にディスク駆動部上に位置決めを行うことができる。
【０００９】
したがって、浅溝部にはディスクが正確にセンタリングできるように検知部を配置することが好ましい。
【００１０】
【実施例】
実施例について図面を参照して説明すると、図１は本実施例に係るＣＤプレーヤの内部構成を示す平面図、図２は該プレーヤ内でディスクをセンタリングしたときの一部断面平面図、図３は図１のＡ−Ａ線に沿う固定側ガイド体の断面図、図４は図１のＢ−Ｂ線に沿う固定側ガイド体の断面図である。これらの図に示すＣＤプレーヤは、複数枚のディスク（ＣＤ）１を収納して選択的に再生可能なスロットイン方式のチェンジャ型ＣＤプレーヤであり、シャーシ２上にディスク搬送部やディスク駆動部やディスク収納部等が配設されている。
【００１１】
前記ディスク搬送部は、図示せぬ挿入排出口とプレイ位置との間でディスク１を搬送したり、プレイ位置とディスク収納部との間でディスク１を搬送するためのものである。このディスク搬送部は、ディスク搬送方向に沿って延びるガイド溝４が形成された固定側ガイド体３と、複数の駆動ローラ６や歯車７を列状に配設してなり固定側ガイド体３側へ常時弾性付勢されている駆動側ガイド体５とによって主に構成され、これら両ガイド体３，５に挟持されたディスク１が、駆動ローラ６に駆動されつつガイド溝４に沿って転動しながら搬送されるようになっている。
【００１２】
図２〜図４に示すように、固定側ガイド体３のガイド溝４は、相対向する傾斜面４１ａ，４１ｂが形成されて両傾斜面４１ａ，４１ｂにディスク１の周縁部の角部を当接させる断面略Ｖ字形の深溝部４１と、この深溝部４１に連続して形成されて内底面４２ａにディスク１の周縁部の外周面を当接させる断面略コ字形の浅溝部４２とに区別される。そして、固定側ガイド体３は、挿入排出口側（図１，２の右端側）からディスク搬送方向に沿って、まず第１の深溝部４１が長めに形成され、次いで浅溝部４２が形成され、その奥に第２の深溝部４１が形成されている。このように固定側ガイド体３のガイド溝４が前後の深溝部４１の間に浅溝部４２を設けた構成になっているため、ディスク１の周縁部はプレイ位置とその近傍に位置しているときには浅溝部４２に入り込み、それよりも前方もしくは後方に位置しているときには深溝部４１に入り込むようになっている。なお、浅溝部４２の内底面４２ａには、ディスク検出用の一対のスイッチ８の各アクチュエータ８ａが突出させてある。
【００１３】
一方、駆動側ガイド体５の各駆動ローラ６は、図示せぬ駆動モータに駆動されて正逆回転可能であり、駆動ローラ６が図示時計回りに回転することによってディスク１を挿入方向（図１，２の左方向）へ搬送し、駆動ローラ６が逆向きに回転することによってディスク１を排出方向（図１，２の右方向）へ搬送する。また、固定側ガイド体３の浅溝部４２の前部および後部と対向する位置にそれぞれ駆動ローラ６が配設してあるので、ディスク１の外周面が浅溝部４２の内底面４２ａに当接しているとき、このディスク１は両ガイド体３，５によって搬送方向と略直交する向きに挟持されるようになっている。
【００１４】
なお、前記ディスク駆動部は、図示せぬ光ピックアップ装置やターンテーブルＴ、スピンドルモータ、クランパなどによって構成されており、プレイ位置に搬送されてセンタリングされたディスク１をターンテーブルＴとクランパとでチャッキングした後、スピンドルモータによりターンテーブル上のディスク１を回転させながら、光ピックアップ装置によりディスク１に記録されている情報の読み取りが行えるようになっている。また、前記ディスク収納部は、複数枚のディスク１をそれぞれ独立に収納する複数のディスクホルダ９と、不等ピッチの螺旋状溝を有して各ディスクホルダ９に螺合する複数の送りねじ１０等により構成されており、これらの送りねじ１０を回動させると各ディスクホルダ９が昇降するので、送りねじ１０を適宜回転させることにより、所望のディスクホルダ９に収納されているディスク１をプレイ位置と同等の高さ位置に配置させることができる。
【００１５】
このように構成されたＣＤプレーヤにおいて、挿入排出口から装置内部へディスク１が挿入されると、このディスク１は固定側ガイド体３と駆動側ガイド体５との間に押し込まれることとなり、ディスク１が所定量挿入された時点で、駆動ローラ６が回転駆動されてディスク１に挿入方向へ向かう駆動力が付与される。このとき、駆動側ガイド体５に弾性付勢されるディスク１は固定側ガイド体３側の周縁部が第１の深溝部４１に押しつけられるので、該周縁部の表裏の角部が該深溝部４１の傾斜面４１ａ，４１ｂに圧接されることとなり、よってディスク１と固定側ガイド体３との間には大きな摩擦抵抗が生じる。その結果、駆動ローラ６からの駆動力を受けるディスク１は第１の深溝部４１との接点を支点として回転し、該深溝部４１の長手方向に沿ってスリップすることなく転動しながら前進していく。
【００１６】
こうしてディスク１がプレイ位置の手前まで搬送されると、ガイド溝４は第１の深溝部４１から浅溝部４２へと形状が変化するので、ディスク１の周縁部はその外周面が浅溝部４２の内底面４２ａに圧接されることとなり、よって浅溝部４２の内底面４２ａを基準にしてディスク１の径方向の位置決めがなされる。また、ディスク１が浅溝部４２の内底面４２ａに沿って転動していくと、スイッチ８のアクチュエータ８ａがディスク１の周縁部に押圧駆動されてＯＮ動作するので、奥側のスイッチ８がＯＮ動作した時点で、図２に示すようにディスク１がプレイ位置付近に到達したことが検出される。そして、このディスク１に記録されている情報を読み取る場合には、駆動ローラ６を駆動停止することでプレイ位置に停止させたディスク１をチャッキングし、このディスク１の周縁部から両ガイド体３，５を離間させた後、ターンテーブルを回転させて光ピックアップ装置による読み取りを行う。なお、プレイ位置に停止したディスク１は浅溝部４２の内底面４２ａによって径方向に位置決めされるため、ディスク１の板厚に製品ごとのばらつきがあっても、プレイ位置ではディスク１を確実にセンタリングすることができる。また、この浅溝部４２ではディスク１の周縁部の外周面が内底面４２ａに押しつけられるので、深溝部４１に比べてディスク１との間の摩擦抵抗は小さくなるが、浅溝部４２においてディスク１は搬送方向と略直交する向きに挟持されるので搬送中にスリップすることはない。
【００１７】
プレイ位置にあるディスク１をディスク収納部へ搬送する場合には、駆動ローラ６を図示時計回りに回転させ、ディスク１の固定側ガイド体３側の周縁部を浅溝部４２の後方に連続する第２の深溝部４１内へ入り込ませる。これにより、ディスク１は周縁部の表裏の角部が該深溝部４１の傾斜面４１ａ，４１ｂに圧接されることになるので、プレイ位置と同等の高さ位置を保ったままスリップすることなく搬送され、後方に待機しているディスクホルダ９に収納される。また、このディスクホルダ９からプレイ位置へとディスク１を搬送する場合には、駆動ローラ６を図示反時計回りに回転させて、ディスク１に排出方向へ向かう駆動力を付与し、このディスク１の固定側ガイド体３側の周縁部を第２の深溝部４１を経て浅溝部４２内へ入り込ませればよい。同様に、プレイ位置にあるディスク１を挿入排出口へ搬送する場合にも、駆動ローラ６によってディスク１に排出方向へ向かう駆動力を付与しつつ、このディスク１の固定側ガイド体３側の周縁部を浅溝部４２を経て第１の深溝部４１内へ入り込ませ、この深溝部４１に沿って転動するディスク１が挿入排出口から所定量突出した時点で駆動ローラ６を駆動停止させる。これにより、ユーザは挿入排出口から突出するディスク１を手指でつまんで簡単に取り出すことができる。
【００１８】
このように本実施例に係るＣＤプレーヤのディスク搬送部では、固定側ガイド体３の断面略Ｖ字形の深溝部４１に押し込まれたディスク１の周縁部の表裏の角部がそれぞれ傾斜面４１ａ，４１ｂに圧接されて、大きな摩擦抵抗を生じるようにしてあるので、搬送中にディスク１が深溝部４１でスリップする心配がない。これに対して、固定側ガイド体３の浅溝部４２では、ディスク１の周縁部の外周面が内底面４２ａに押しつけられるので、深溝部４１に比べてディスク１との間の摩擦抵抗は小さくなるが、駆動ローラ６の配設位置等を考慮して、浅溝部４２内に入り込んでいるときにはディスク１が常に搬送方向と略直交する向きに挟持されるように設定してあるので、ディスク１が浅溝部４２でスリップする心配もない。したがって、ディスク１との接触面の摩擦抵抗を高めるために２色成形等の高コストな技術を用いる必要がなくなり、固定側ガイド体３の部品コストを大幅に低減することができると共に、搬送中のスリップを防止する効果が高いため信頼性も向上する。さらに、浅溝部４２の内底面４２ａによりディスク１の外周面が位置規制されることから、ディスク１の板厚に製品ごとのばらつきがあっても浅溝部４２において確実に径方向の位置決めを行うことができ、よってディスク１のセンタリング精度が高まってチャッキング不良が回避できる。
【００１９】
なお、上述した実施例中の駆動側ガイド体５は駆動ローラ６によってディスクを直接駆動する方式であるが、駆動ベルトによってディスクを駆動する方式であってもよい。
【００２０】
また、本発明がチェンジャ型ＣＤプレーヤ以外の製品にも適用可能であることは言うまでもない。
【００２１】
【発明の効果】
本発明は、以上説明したような形態で実施され、以下に記載されるような効果を奏する。
【００２２】
ディスクの周縁部が入り込む固定側ガイド体のガイド溝が、ディスクの周縁部の角部を当接させる断面略Ｖ字形の深溝部と、この深溝部に連続して形成されて内底面にディスクの周縁部の外周面を当接させる浅溝部とからなり、少なくともディスクの外周面が浅溝部の内底面に当接しているときに、該ディスクがディスク駆動部上に位置決めされるように構成したディスク装置なので、板厚にばらつきのあるディスクでも浅溝部において確実に径方向の位置決めが行え、センタリング精度を向上させることができる。また、固定側ガイド体のガイド溝には断面略Ｖ字形の深溝部が形成されているので、ディスクとの接触面の摩擦抵抗を高めるために２色成形等の高コストな技術を用いて固定側ガイド体を作製する必要がなくなり、固定側ガイド体の部品コストを大幅に低減することができる。
【図面の簡単な説明】
【図１】本発明の実施例に係るＣＤプレーヤの内部構成を示す平面図である。
【図２】該プレーヤ内でディスクをセンタリングしたときの一部断面平面図である。
【図３】図１のＡ−Ａ線に沿う固定側ガイド体の断面図である。
【図４】図１のＢ−Ｂ線に沿う固定側ガイド体の断面図である。
【符号の説明】
１  ディスク
２  シャーシ
３  固定側ガイド体
４  ガイド溝
５  駆動側ガイド体
６  駆動ローラ
７  歯車
８  スイッチ
９  ディスクホルダ
１０  送りねじ
４１  深溝部
４１ａ，４１ｂ  傾斜面
４２  浅溝部
４２ａ  内底面
【図１】
0003916391.tif 000002
【図２】
0003916391.tif 000003
【図３】
0003916391.tif 000004
【図４】
0003916391.tif 000005